(57)【要約】【課題】清掃時に感電する危険性がなく、しかも、リード線を断線させる可能性を排除するとともに、熱交換器から一定の空間を確実に保つことができ、精度よく温度検出ができる空気調和機の温度センサ取付装置を提供する。【解決手段】熱交換器にホルダー６を添着し、ホルダーに温度センサを取付けてなる温度センサ取付装置であって、ホルダーを箱状に形成し、ホルダー内面にリード線を通す凹条部１０ａ  と、凹条部１０ａ  に連接し、温度センサを挟持する挟持部１０ｂ  を設け、ホルダーの一側後方上部に、Ｕ字管に係止する第１係止爪１２ａ  を設けるとともに、ホルダーの一側後方下部に、Ｕ字管に係止する第２係止爪１２ｂ  を設ける一方、ホルダーの他側後方の上下に相対向し、Ｕ字管の内側管に係合する一対の係止片１３ａ，１３ｂ  を設け、凹条部にリード線を挿通し、挟持部に温度センサを挟持してホルダーをＵ字管に装着する。【選択図】  図４
2004245505.tif 000002
【特許請求の範囲】
【請求項１】
本体内に複数のフィンと、側板とＵ字管で連結される伝熱管等からなる熱交換器を設置し、同熱交換器にホルダーを添着し、同ホルダーに電装箱より導出されるリード線に接続され、前記熱交換器の温度を検出する温度センサを取り付けてなる空気調和機の温度センサ取付装置であって、
前記ホルダーを一方を開口する箱状に形成し、同ホルダー内面に前記リード線を通す凹条部と、同凹条部に連接し、前記温度センサを挟持する挟持部からなる保持具を設け、前記ホルダーの前記開口縁の一側上部に、前記Ｕ字管または前記伝熱管に係止する第１係止爪を設けるとともに、前記開口縁の一側下部に、前記Ｕ字管または前記伝熱管に係止する第２係止爪を設ける一方、前記開口縁の他側の上下に相対向し、前記フィン間に挿入され、前記伝熱管に係止する一対の係止片を設け、前記ホルダーの表面に複数の通気孔を設け、前記凹条部に前記リード線を挿通し、前記挟持部に前記温度センサを挟持して、前記ホルダーを前記Ｕ字管または前記伝熱管に装着してなることを特徴とする空気調和機の温度センサ取付装置。
【請求項２】
前記挟持部の前記温度センサ先端側に相対向する前記ホルダー内壁に、前記温度センサの長手方向の移動を規制するストッパを設けてなることを特徴とする請求項１記載の空気調和機の温度センサ取付装置。
【請求項３】
前記ホルダーの表面側の一側に、前記リード線を押える凹状のリード押えを設けるとともに、同リード押えの近傍に前記リード線をクランプするクランプ爪を設けてなることを特徴とする請求項１記載の空気調和機の温度センサ取付装置。
【請求項４】
前記ホルダーの前記第１係止爪と前記第２係止爪との間に、前記Ｕ字管または前記伝熱管に当接する半円状のリブを設けてなることを特徴とする請求項１記載の空気調和機の温度センサ取付装置。
【発明の詳細な説明】
【０００１】
【発明の属する技術分野】
本発明は、空気調和機の温度センサ取付装置に係わり、詳しくは、空気調和機内部の清掃時における外れ、破壊、感電等に対して保護できる温度センサ取付ホルダの構造に関する。
【０００２】
【従来の技術】
従来のこの種の空気調和機の温度センサ取付装置には、図７に示すように、室内熱交換器２１に伝熱管２２の複数本に係合させるための略Ｃ形およびＶ形の係合部材２３を突設した脚部材２４を形成し、同脚部材２４の中央部に、温度センサ２６を保持する略断面Ｃ形の保持部２５を形成し、同保持部２５の上部と下部に所定間隔をおいて、前記保持部２５に保持される温度センサ２６の検出端面に対する所要の大きさの遮蔽板２７を一体的に突設したものがある（例えば、実用新案文献１参照。）。
【０００３】
しかしながら、上記従来例の構造の場合、保持部２５が温度センサ２６の一部のみしか保持していないため、温度センサ２６が前後方向に動く恐れがあり、一定位置での温度が測定できないため、正確な温度制御ができないことがある。また、温度センサ２６が剥き出しになっているため、空気調和機の内部を清掃する際などに、温度センサ２６に手を触れることがあり、感電する危険性がある。
【０００４】
【実用新案文献１】
実開昭２００２−５５０４号公報（第１頁、第１図）
【０００５】
【発明が解決しようとする課題】
本発明は以上述べた問題点を解決し、清掃時に感電する危険性がなく、しかも、リード線を断線させる可能性を排除するとともに、熱交換器から一定の空間を確実に保つことができ、精度よく温度検出ができる空気調和機の温度センサ取付装置を提供することを目的としている。
【０００６】
【課題を解決するための手段】
本発明は上述の課題を解決するため、本体内に複数のフィンと、側板とＵ字管で連結される伝熱管等からなる熱交換器を設置し、同熱交換器にホルダーを添着し、同ホルダーに電装箱より導出されるリード線に接続され、前記熱交換器の温度を検出する温度センサを取り付けてなる空気調和機の温度センサ取付装置であって、
前記ホルダーを一方を開口する箱状に形成し、同ホルダー内面に前記リード線を通す凹条部と、同凹条部に連接し、前記温度センサを挟持する挟持部からなる保持具を設け、前記ホルダーの前記開口縁の一側上部に、前記Ｕ字管または前記伝熱管に係止する第１係止爪を設けるとともに、前記開口縁の一側下部に、前記Ｕ字管または前記伝熱管に係止する第２係止爪を設ける一方、前記開口縁の他側の上下に相対向し、前記フィン間に挿入され、前記伝熱管に係止する一対の係止片を設け、前記ホルダーの表面に複数の通気孔を設け、前記凹条部に前記リード線を挿通し、前記挟持部に前記温度センサを挟持して、前記ホルダーを前記Ｕ字管または前記伝熱管に装着してなる構成となっている。
【０００７】
また、前記挟持部の前記温度センサ先端側に相対向する前記ホルダー内壁に、前記温度センサの長手方向の移動を規制するストッパを設けてなる構成となっている。
【０００８】
また、前記ホルダーの表面側の一側に、前記リード線を押える凹状のリード押えを設けるとともに、同リード押えの近傍に前記リード線をクランプするクランプ爪を設けてなる構成となっている。
【０００９】
また、前記ホルダーの前記第１係止爪と前記第２係止爪との間に、前記Ｕ字管または前記伝熱管に当接する半円状のリブを設けてなる構成となっている。
【００１０】
【発明の実施の形態】
以下、図面に基づいて本発明の実施の形態について説明する。
図１は本発明による空気調和機の温度センサ取付装置のホルダを熱交換器に取付けた状態を示す要部斜視図、図２（Ａ）はホルダの外面から見たときの斜視図、図２（Ｂ）はホルダの係止爪とＵ字管の取付け関係を示す要部断面図、図３はホルダーに電装箱より導出されるリード線の配線状態を示す正面図、図４（Ａ）はホルダを裏面側から見たときの斜視図で、図４（Ｂ）は（Ａ）のａ部拡大斜視図である。
【００１１】
図１乃至図４において、図示しない吸込口と吹出口を結ぶ通風路内に、複数のフィン１と、側板２とＵ字管３で連結される伝熱管４等からなる熱交換器５を設置し、同熱交換器５にホルダー６を添着し、同ホルダー６に電装箱７より導出されるリード線８に接続され、前記熱交換器５の温度を検出する温度センサ９を取り付けた構成となっている。
【００１２】
前記ホルダー６は、樹脂製からなり、一方を開口し外周が略矩形で表面が湾曲の箱状に形成され、前記ホルダー６の内面側（裏面側）の中央部に、前記電装箱７より導出される前記リード線８を通す凹条部１０と、同凹条部１０ａ  に連接し、前記温度センサ９を挟持する凹状の挟持部１０ｂ  からなる保持具１０が設けられている。
【００１３】
前記ホルダー６の前記開口縁の一側上部に、前記Ｕ字管３（３ｂ）または前記伝熱管４（４ｂ）に係止する略逆Ｌ字状の第１係止爪１２ａ  を設けるとともに、前記開口縁の一側下部に、前記Ｕ字管３（３ａ）または前記伝熱管４（４ａ）に係止する略逆Ｌ字状の第２係止爪１２ｂ  が設けられている。
また、前記ホルダー６の前記開口縁の他側の上下に相対向し、前記フィン１の間に挿入され、前記伝熱管４（４ａ，４ｂ）  の内側間に係止する一対の係止片１３ａ，１３ｂ  が設けられている。
さらに、前記ホルダー６の湾曲状の表面には、指が挿入できない大きさの格  子状に形成された複数の通気孔１５が設けられている。
【００１４】
また、前記挟持部１０ｂ  の前記温度センサ９の先端側に相対向する前記ホルダー６の内壁に、前記温度センサ６の長手方向の移動を規制する突起状のストッパ１４が設けられた構成となっている。
【００１５】
また、前記ホルダー６の表面側の一側に、前記リード線８を押える凹状のリード押え１６ａ  を設けるとともに、同リード押え１６ａ  の近傍に、前記リード線８をクランプするクランプ爪１６が設けられ、前記リード線８を所定経路に沿って確実に固定するようになっている。
【００１６】
また、前記ホルダー６の前記第１係止爪１２ａ  と前記第２係止爪１２ｂ  とのほぼ中間に、前記Ｕ字管３（３ｃ）または前記伝熱管４（４ｃ）に当接する半円状のリブ６ａを設け、前記ホルダー６が前記熱交換器５に確実に装着されるようになっている。
【００１７】
以上の構成において、次にその取り付け手順を説明する。
先ず、図５（Ａ）で示すように、前記保持具１０の前記凹条部１０ａ  に、前記温度センサ９を接続した前記リード線８を通し、図５（Ｂ）に示すように、このリード線８を矢印方向に引っ張り、図５（Ｃ）に示すように、前記温度センサ９を前記挟持部１０ｂ  に挟持して前記温度センサ９の取り付けを終了する。
【００１８】
次に、図２（Ｂ）に示すように、前記ホルダー６の第２係止爪１２ｂ  と、前記係止片１３ｂ  をＵ字管３ａまたは伝熱管４ａに係止し、その後、前記第１係止爪１２ａ  と前記係止片１３ａ  をＵ字管３ｂまたは前記伝熱管４ｂに係止すると共に、前記リブ６ａを前記Ｕ字管３ｃまたは伝熱管４ｃに当接させることにより、図１に示すように、前記ホルダー６の装着が終了する。
その後、図３に示すように、前記リード線８を前記リード押え１６ａ  に嵌入した後、前記クランプ爪１６にクランプすることにより、前記温度センサ９の前記熱交換器５への取り付けを完了する。
【００１９】
以上に説明したように、前記凹条部１０ａ  に前記リード線８を挿通し、前記挟持部１０ｂ  に前記温度センサ９を挟持して、前記ホルダー６の第２係止爪１２ｂ  と係止片１３ｂ  、及び第１係止爪１２ａ  と係止片１３ａ  を夫々前記Ｕ字管３または前記伝熱管４に装着する構成とすることにより、清掃時に感電する危険性がなく、しかも、リード線を断線させる可能性を排除するとともに、熱交換器５から一定の空間を確実に保つことができ、精度よく温度検出ができる空気調和機の温度センサ取付装置となる。
【００２０】
【発明の効果】
以上説明したように、本発明によれば、清掃時に感電する危険性がなく、しかも、リード線を断線させる可能性を排除するとともに、熱交換器から一定の空間を確実に保つことができ、精度よく温度検出ができる空気調和機の温度センサ取付装置となる。
【図面の簡単な説明】
【図１】本発明による空気調和機の温度センサ取付装置のホルダを熱交換器に取付けた状態を示す要部斜視図である。
【図２】本発明による、（Ａ）はホルダを外面から見たときの斜視図、（Ｂ）はホルダの係止爪とＵ字管の取付け関係を示す要部断面図である。
【図３】本発明によるホルダーに電装箱より導出されるリード線の配線状態を示す正面図である。
【図４】本発明による、（Ａ）はホルダを裏面側から見たときの斜視図で、（Ｂ）は（Ａ）のａ部拡大斜視図である。
【図５】本発明による温度センサの取付け手順を説明する説明図で、（Ａ）はリード線を挿入する状態、（Ｂ）はリード線を引っ張る状態、（Ｃ）は温度センサの取付けが完了した状態である。
【図６】従来の空気調和機の温度センサ取付装置を示す斜視図である。
【符号の説明】
１  フィン
２  側板
３  Ｕ字管
４  伝熱管
５  熱交換器
６ａ  リブ
６  ホルダー
７  電装箱
８  リード線
９  温度センサ
１０  保持具
１０ａ  凹条部
１０ｂ  挟持部
１２ａ  第１係止爪
１２ｂ  第２係止爪
１３ａ、１３ｂ  係止片
１４  ストッパ
１５  通気孔
１６  クランプ爪
１６ａ  リード押え
【図１】
2004245505.tif 000003
【図２】
2004245505.tif 000004
【図３】
2004245505.tif 000005
【図４】
2004245505.tif 000006
【図５】
2004245505.tif 000007
【図６】
2004245505.tif 000008